(57)【要約】【課題】電気回路基板の誤挿入を外観から容易に判定でき、且つエンジンルーム内への配置に好適である電気接続箱を提供すること。【解決手段】電気接続箱１０は、アッパーインナーカバー１６を含めて接続箱本体１１の上部全体を覆うように接続箱本体１１に取り付けられるアッパーアウターカバー１２を備える。電気回路基板１４，１５のうち少なくとも一方が電気回路基板収容部１９に誤挿入された状態では、その誤挿入された電気回路基板の下端部が電気回路基板収容部１９の底部側ガイドの上端部に当接するため当該電気回路基板の上端部にアッパーインナーカバー１６の下面のカバー側ガイドの下端部が当接し、これによりアッパーインナーカバー１６の電気回路基板収容部１９に対する非係合状態が生じる。【選択図】図１
2007282470.tif 000002
【特許請求の範囲】
【請求項１】
接続箱本体と、
前記接続箱本体の上部で開口するように前記接続箱本体内に形成された電気回路基板収容部と、
前記電気回路基板収容部内に収容される電気回路基板と、
前記電気回路基板収容部の、対向する内側面に形成され且つ、前記電気回路基板が前記電気回路基板収容部に挿入される際に該電気回路基板が該電気回路基板収容部内で上下方向に沿って縦に設けられるように前記電気回路基板を案内する側部側ガイドと、
前記電気回路基板収容部の底部に形成され且つ、前記電気回路基板の下端部を受け入れることで該電気回路基板の位置決めをする底部側ガイドと、
前記接続箱本体の上部の前記電気回路基板収容部の開口を覆いながら前記電気回路基板収容部に係合するアッパーインナーカバーと、
前記アッパーインナーカバーを含めて前記接続箱本体の上部全体を覆うように、前記接続箱本体に取り付けられるアッパーアウターカバーと、
を備え、
前記電気回路基板が前記電気回路基板収容部に誤挿入された状態では、前記電気回路基板の下端部が前記底部側ガイドの上端部に当接することにより前記アッパーインナーカバーの前記電気回路基板収容部に対する非係合状態が生じることを特徴とする電気接続箱。
【請求項２】
前記アッパーインナーカバーの下面に形成され且つ、前記電気回路基板収容部内に収容された前記電気回路基板の上端部を受け入れることで該電気回路基板の位置決めをするカバー側ガイドを更に備え、前記電気回路基板が前記電気回路基板収容部に誤挿入された状態では、前記電気回路基板の上端部に前記カバー側ガイドの下端部が当接することにより前記アッパーインナーカバーの前記電気回路基板収容部に対する非係合状態が生じることを特徴とする請求項１に記載した電気接続箱。
【請求項３】
前記接続箱本体の下部に組み付けられるロアカバーを更に備えることを特徴とする請求項１または請求項２に記載した電気接続箱。
【発明の詳細な説明】
【技術分野】
【０００１】
本発明は、例えば自動車等の車両に用いられる例えばリレー・ボックス、ヒューズ・ボックス、電子制御ユニット・ボックス、等といった電気接続箱（即ち、エレクトリック・ジャンクション・ブロック）に関する。
【背景技術】
【０００２】
車両に搭載される電気接続箱の一例として、図１１に示されるように、互いに係合したアッパーケース１０１とロアケース１０２との内部に、絶縁板１０３とバスバー１０４とを積層した電気回路基板１０５を収容する電気接続箱１００が知られている（特許文献１参照）。
【０００３】
このような電気接続箱１００では、リレー１０６および電子ユニット１０７等の電気部品が、それらの端子をロアケース１０２の貫通穴を介して電気回路基板１０５に電気的に接続するように、ロアケース１０２に取り付けられる。また、アッパーケース１０１にはコネクタ１０８が設けられる。この電気接続箱１００では、ヒューズ等の電気部品１０９がアッパーケース１０１の蓋のコネクタ１０８の真下の電気回路基板１０５の部分に配置されるといった立体的な配置を実現しており、更には電気回路基板１０５とコネクタ１０８とがアッパーケース１０１の蓋の開閉に支障のないようにフレキシブル・プリント基板を介して電気的に接続されるので、電気接続箱１００の小型化が図れる。
【０００４】
自動車に搭載される電気接続箱は、車室内に配置されるべき電気接続箱と、エンジンルーム内に配置されるのに好適な電気接続箱と、例えばトラック用の電気接続箱のように、自動車の外部に配置されるのに好適な電気接続箱といった３種類に概ね大別できる。これらのうち、車室内に配置される電気接続箱は、その構造設計上、防水への配慮は甘くてもよい。対して、エンジンルーム内に配置される電気接続箱や車両の外部に配置される電気接続箱には、防水だけでなくエンジンルーム内の塵や埃等の進入をも防ぐために、ケースにアッパーカバーやロアカバーが取り付けられる。
【０００５】
ところで、エンジンルーム内に配置される電気接続箱には電気回路基板が図１１に示されるように横たわって配置される構造が採用されるのが一般的である。しかし、このような電気回路基板の配置では、電気部品等が搭載される電気回路基板の占有面積の分、該電気回路基板を収容する電気接続箱の電気回路基板収容部もその内部スペースを、水平方向を含む横方向に大きくせねばならない。ところが、車両設計上、エンジンルーム内で電気接続箱に割り当てられたスペースが狭すぎて電気回路基板収容部の内部スペースを横方向に拡大できず、よって電気回路基板上での電気部品の搭載数が制限される場合（換言すれば、電気回路基板の電気部品が搭載される面の面積を狭くせねばならない場合）、電気接続箱に車両システムの様々な機能を集約するインテグレーション化を図る上で大きな障害となる。
【０００６】
そこで、電気接続箱に収容される電気回路基板を絶縁板とバスバーとで構成するのではなく、ＰＣＢ（即ち、プリント回路基板）で構成することで車両システムの様々な機能を電気接続箱に集約することが考えられる。また、エンジンルーム内では、横方向よりも、垂直方向を含む縦方向のスペースを確保し易いため、電気回路基板が縦に配置される構造を備えた電気接続箱を提供すると好ましい。このような電気接続箱の構造を実現でき、そして更には、ＰＣＢを着脱自在に差し込み接続できる技術が知られている（特許文献２参照）。
【０００７】
しかし、特許文献２に開示されている技術では、ＰＣＢが確実にスロットインコネクタに電気的に接続しなければならないため、接続信頼性上、ＰＣＢが誤挿入されたことを外観から判定できることが望まれる。また、特許文献２に開示されている電気接続箱は、その複数のコネクタの嵌合部を外部に露出する形態のものであり、そしてそれ故、その外部から内部に連通する隙間を多数有しているため、上述したような車室内に配置されるべき電気接続箱であって、防水だけでなく塵や埃等の進入をも防ぐことに配慮されたものではない。
【０００８】
【特許文献１】特開平１１−０１８２５２号公報（図１）
【特許文献２】特開平１１−０４１７５２号公報（図１）
【発明の開示】
【発明が解決しようとする課題】
【０００９】
本発明は、上述した事情に鑑みてなされたものであり、その目的は、電気回路基板の誤挿入を外観から容易に判定でき、且つエンジンルーム内への配置に好適である電気接続箱を提供することにある。
【課題を解決するための手段】
【００１０】
前述した目的を達成するため、本発明に係る電気接続箱は、下記（１）〜（３）を特徴としている。
（１）  接続箱本体と、
前記接続箱本体の上部で開口するように前記接続箱本体内に形成された電気回路基板収容部と、
前記電気回路基板収容部内に収容される電気回路基板と、
前記電気回路基板収容部の、対向する内側面に形成され且つ、前記電気回路基板が前記電気回路基板収容部に挿入される際に該電気回路基板が該電気回路基板収容部内で上下方向に沿って縦に設けられるように前記電気回路基板を案内する側部側ガイドと、
前記電気回路基板収容部の底部に形成され且つ、前記電気回路基板の下端部を受け入れることで該電気回路基板の位置決めをする底部側ガイドと、
前記接続箱本体の上部の前記電気回路基板収容部の開口を覆いながら前記電気回路基板収容部に係合するアッパーインナーカバーと、
前記アッパーインナーカバーを含めて前記接続箱本体の上部全体を覆うように、前記接続箱本体に取り付けられるアッパーアウターカバーと、
を備え、
前記電気回路基板が前記電気回路基板収容部に誤挿入された状態では、前記電気回路基板の下端部が前記底部側ガイドの上端部に当接することにより前記アッパーインナーカバーの前記電気回路基板収容部に対する非係合状態が生じること。
（２）  上記（１）の構成の電気接続箱が、前記アッパーインナーカバーの下面に形成され且つ、前記電気回路基板収容部内に収容された前記電気回路基板の上端部を受け入れることで該電気回路基板の位置決めをするカバー側ガイドを更に備え、前記電気回路基板が前記電気回路基板収容部に誤挿入された状態では、前記電気回路基板の上端部に前記カバー側ガイドの下端部が当接することにより前記アッパーインナーカバーの前記電気回路基板収容部に対する非係合状態が生じること。
（３）  上記（１）または（２）の構成の電気接続箱が、前記接続箱本体の下部に組み付けられるロアカバーを更に備えること。
【００１１】
上記（１）の構成の電気接続箱では、電気回路基板が縦に配置されるので、電気回路基板収容部の内部スペースを、水平方向を含む横方向に小さくすることができる。それ故、上記（１）の構成の電気接続箱は、横方向に薄型化可能であり、よって、垂直方向を含む縦方向にスペースを確保し易いエンジンルームでの配置に好適である。また、上記（１）の構成の電気接続箱によれば、電気回路基板が電気回路基板収容部に誤挿入された状態では、電気回路基板の下端部が底部側ガイドの上端部に当接することによりアッパーインナーカバーの電気回路基板収容部に対する非係合状態が生じるので、電気回路基板の上端部の当接によるアッパーインナーカバーの浮きによって電気回路基板の誤挿入を外観から容易に判定できる。更に、上記（１）の構成の電気接続箱によれば、アッパーアウターカバーが接続箱本体の上部全体を覆うように接続箱本体に取り付けられるので、防水だけでなく塵や埃等の進入をも防ぐことができる。尚、上記（１）の構成の電気接続箱を用いた場合、電気回路基板に塵や埃等が付着することを避けるため、クリーンルームで、該電気回路基板が挿入された電気回路基板収容部へのアッパーインナーカバーの取り付けを行なった後に、通常工程でアッパーアウターカバーを接続箱本体に取り付けてもよい。
上記（２）の構成の電気接続箱によれば、電気回路基板が電気回路基板収容部に誤挿入された状態では、電気回路基板の上端部にカバー側ガイドの下端部が当接することによりアッパーインナーカバーの電気回路基板収容部に対する非係合状態が生じるので、電気回路基板の誤挿入を外観から確実に判定できる。
上記（３）の構成の電気接続箱によれば、接続箱本体の下部に組み付けられるロアカバーを更に備えるので、更なる防水、防塵、等に効果的な構造のものとなる。
【発明の効果】
【００１２】
本発明によれば、電気回路基板の誤挿入を外観から容易に判定でき、且つエンジンルーム内への配置に好適である電気接続箱を提供することができる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を先ず図１〜図７を参照しながら詳細に説明する。
【００１５】
図１は本発明に係る電気接続箱の一実施形態を斜め上から視た各部品の分解斜視図、図２は電気回路基板を接続箱本体に組み込んだ状態の平面図、図３（ａ）は図１の電気接続箱における電気回路基板収容部の側部側ガイド辺りの平面図、図３（ｂ）は図３（ａ）の側面図（一部断面図）、図４（ａ）は図１の電気接続箱に用いられるアッパーインナーカバーの下面図、図４（ｂ）は図４（ａ）のＩＶ（ｂ）−ＩＶ（ｂ）線断面図、図５（ａ）は図４（ａ）のアッパーインナーカバーにおけるカバー側ガイド辺りの平面図、図５（ｂ）は図５（ａ）のＶ（ｂ）−Ｖ（ｂ）線断面図、図６は電気回路基板を電気回路基板収容部に正しく組み込んだ適正挿入状態での平面図、そして図７は電気回路基板を電気回路基板収容部に正しく組み込んでいない誤挿入状態での平面図である。
【００１６】
図１〜図７に示されるように、本発明の一実施形態である電気接続箱１０は、接続箱本体１１と、接続箱本体１１の上部で開口するように接続箱本体１１内に形成された電気回路基板収容部１９と、電気回路基板収容部１９内に収容される電気回路基板１４，１５と、電気回路基板収容部１９の対向する内側面に形成され且つ、電気回路基板１４，１５が電気回路基板収容部１９に挿入される際に電気回路基板１４，１５が電気回路基板収容部１９内で上下方向に沿って縦に設けられるように電気回路基板１４，１５を案内する側部側ガイド２３と、電気回路基板収容部１９の底部に形成され且つ、電気回路基板１４，１５の下端部を内部底板２１側へ受け入れることで該電気回路基板１４，１５の位置決めをする底部側ガイド３９（図２等参照。）と、接続箱本体１１の上部の電気回路基板収容部１９の開口を覆いながら電気回路基板収容部１９に係合するアッパーインナーカバー１６と、アッパーインナーカバー１６の下面に形成され且つ、電気回路基板収容部１９内に収容された電気回路基板１４，１５の上端部をアッパーインナーカバー１６の下面側（天板３５側）へ受け入れることで位置決めするカバー側ガイド４１｛図４（ａ）等参照。｝と、アッパーインナーカバー１６を含めて接続箱本体１１の上部全体を覆うように、接続箱本体１１に取り付けられるアッパーアウターカバー１２と、接続箱本体１１の下部に組み付けられるロアカバー１３と、を備える。そして、図７から明らかなように、電気回路基板１４，１５のうち少なくとも一方（図７に示される例では第２電気回路基板１５）の下端部が底部側ガイド３９の上端部に乗っかる（即ち、当接する）ように当該電気回路基板１４，１５のうち少なくとも一方（図７に示される例では第２電気回路基板１５）が電気回路基板収容部１９に誤挿入された状態では、当該電気回路基板１４，１５のうち少なくとも一方（図７に示される例では第２電気回路基板１５）の上端部にカバー側ガイド４１の下端部が当接し、これによりアッパーインナーカバー１６の電気回路基板収容部１９に対する非係合状態が生じる。
【００１７】
このように構成された電気接続箱１０の詳細を以下説明する。
【００１８】
接続箱本体１１は、絶縁性の合成樹脂で四角形の箱形状に成形されたものであり、４つの外部側板１７の内側であって上部に、複数のヒューズ装着部１８と電気回路基板収容部１９の開口部分とが形成されている。ヒューズ装着部１８は、不図示の複数の上流側ヒューズホルダー端子と上流側ヒューズホルダー端子と一対になる複数の下流側ヒューズホルダー端子とが内装されており、これらヒューズホルダー端子のそれぞれが、不図示のワイヤハーネスに電気的に接続されている。不図示のワイヤハーネスは電気接続箱１０の外部へ引き出される。
【００１９】
電気回路基板収容部１９は、接続箱本体１１の反ヒューズ装着部１８側に配置され、４つの内部側板２０と内部底板２１（図２等参照。）とを有し、内部側板２０と内部底板２１により内部スペースを囲むようにして形成されている。この電気回路基板収容部１９は、正面側の内部側板２０の外側上端寄りに２つ、そして背面側の内部側板２０の外側上端寄りに１つ、合計で３つの係合突起２２を有する。電気回路基板収容部１９は、上方が開放されており、内部底板２１までが予め定められた深さ寸法を有し、対向する内部側板２０同士が予め定められた幅寸法を有する。
【００２０】
電気回路基板収容部１９には、その対向する内部側板２０の内側面に、上下方向（図１中の縦方向）に延長する側部側ガイド２３が２つずつ形成されている。より詳細には、これらの側部側ガイド２３には図１中の縦方向に延長する溝がそれぞれ形成されている。
【００２１】
接続箱本体１１は、４つの外部側板１７のうちの正面側の外部側板１７の上端寄りに２つ、そして背面側の外部側板１５の上端寄りに２つ、合計で４つの係合受２４を有する。また、接続箱本体１１は、正面側の外部側板１７の下端寄りに２つ、背面側の外部側板１７の下端寄りに１つ、右側面側の外部側板１７の下端寄りに２つ、そして左側面側の外部側板１７の下端寄りに１つ、合計で６つの係合突起２５を有する。
【００２２】
アッパーアウターカバー１２は、絶縁性の合成樹脂で四角形のお盆状に成形されたものであり、天板２６と、天板２６の周囲に配置された周板２７と、を備える。アッパーアウターカバー１２は、接続箱本体１１の上部に被せられるので、周板２７に、接続箱本体１１の外部側板１７の４つの係合受２４に係合される４つの係合部２８が形成されている。
【００２３】
ロアカバー１３は、絶縁性の合成樹脂で成形されたものであり、底板２９と、底板２９の周囲に配置された周板３０と、を備える。ロアカバー１３は、接続箱本体１１の下部に被せられるため、周板３０に、接続箱本体１１の外部側板１７の６つの係合突起２５に係合される６つの係合部３１が形成されている。また、ロアカバー１３は、ヒューズ装着部１８に接続される不図示のワイヤハーネスを通すための切欠３２を有する。
【００２４】
第１電気回路基板１４は、予め定められたプリント配線が形成されたＰＣＢであり、図１中の背面側である表面の下部に２つの雌型コネクタ３３が実装され、これら雌型コネクタ３３の上側に複数のリレーや、ＣＰＵ等の電子素子を含む電気部品が実装されている。
【００２５】
第２電気回路基板１５は、第１電気回路基板１４と同様に、予め定められたプリント配線が形成されたＰＣＢであり、図１中の背面側である表面の下部に３つの雌型コネクタ３３が実装され、これら雌型コネクタ３３の上側に複数のリレーや、ＣＰＵ等の電子素子を含む電気部品３４が実装されている。
【００２６】
アッパーインナーカバー１６は、絶縁性の合成樹脂でお盆状に成形されたものであり、天部に配置された天板３５の周囲に、電気回路基板収容部１９の内部側板２０の３つの係合突起２２に係合される３つの係合部３６を有する。
【００２７】
図２に示すように、電気回路基板収容部１９の底部では、４つの内部側板２０に内部底板２１が連設されており、この内部底板２１に５つの枠状のコネクタ挿入部３７が接続箱本体１１の下部で開口するように形成されている。これらコネクタ挿入部３７は、第１電気回路基板１４と第２電気回路基板１５とにそれぞれ備えられている５つの雌型コネクタ３３の外形寸法よりもわずかに大きい内形寸法に形成されており、ロアカバー１３の切欠３２から引き込まれるワイヤハーネス３８ａの端部（図９参照。）にそれぞれ接続された５つの雄型コネクタ３８を下方から挿入可能である。そのため、第１電気回路基板１４と第２電気回路基板１５とが電気回路基板収容部１９にそれぞれ挿入された際に、５つの雌型コネクタ３３が、コネクタ挿入部３７にそれぞれ挿入され、この状態の雌型コネクタ３３に５つの雄型コネクタ３８がそれぞれ電気的に接続される。
【００２８】
ここで、電気回路基板収容部１９の内部底板２１には、対向する側部側ガイド２３同士の間に、第１電気回路基板１４用に１つ、そして第２電気回路基板１５用に２つ、合計で３つの底部側ガイド３９が一体的に形成されている。底部側ガイド３９各々は、その本体が内部底板２１から上方に延長したコ字形状に形成されている。底部側ガイド３９は、それらの本体の対向壁部間の溝に第１電気回路基板１４と第２電気回路基板１５とが挿入されてきた際に、第１電気回路基板１４と第２電気回路基板１５とを位置決めする機能をもつ。
【００２９】
図３（ａ），（ｂ）に示すように、側部側ガイド２３は内部側板２０の内側にコ字形状に突出形成されており、側部側ガイド２３の対向する内側面には断面視略三角形状の突条４０がそれぞれ対向するように形成されている。突条４０は、各々、内部底板２１に近づくにしたがって側部側ガイド２３の溝の幅が狭くなるように形成された傾斜面を上端部に有している。突条４０の上端部よりも内部底板２１側の部分（下端部）は互いに平行に延長している。そのため、側部側ガイド２３に誘導されて挿入された第１電気回路基板１４と第２電気回路基板１５とを、がたつき無く把持することができる。
【００３０】
図４（ａ），（ｂ）に示すように、アッパーインナーカバー１６には、その天板３５の下面に、第１電気回路基板１４用の底部側ガイド３９に対向する位置に１つ、そして第２電気回路基板１５用の底部側ガイド３９に対向する位置に１つ、カバー側ガイド４１が略コ字形状に形成されている。カバー側ガイド４１は、天板３５の下面から突出する。
【００３１】
また、アッパーインナーカバー１６には、カバー側ガイド４１の外側に一列にして、４つずつ断面視略三角形状の突条４２がそれぞれ突出形成されている。突条４２は、アッパーインナーカバー１６が電気回路基板収容部１９に組み付けられた際に、がたつき無く第１電気回路基板１４と第２電気回路基板１５とを押さえ付けて支持する。
【００３２】
図５（ａ），（ｂ）に示すように、アッパーインナーカバー１６の天板３５において、カバー側ガイド４１の内側には、二対の断面視略三角形状の突条４３が、第１電気回路基板１４と第２電気回路基板１５の挿入方向に平行にしてそれぞれ突出形成されている。カバー側ガイド４１は、アッパーインナーカバー１６が電気回路基板収容部１９に組み付けられた際に、第１電気回路基板１４と第２電気回路基板１５とを位置決める機能をもち、突条４３は、その際に、第１電気回路基板１４と第２電気回路基板１５に板厚のばらつきがあったとしても、そのばらつきを吸収して、がたつき無く第１電気回路基板１４と第２電気回路基板１５を支持することができる。
【００３３】
次に、図６および図７を参照して、第１電気回路基板１４と第２電気回路基板１５の電気回路基板収容部１９への組み込みについて説明する。
【００３４】
図６に示すように、別工程で組み立てられた第１電気回路基板１４と第２電気回路基板１５とは、第１電気回路基板１４が電気回路基板収容部１９の図６中の上側に、第２電気回路基板１５が電気回路基板収容部１９の図６中の下側に、それぞれ挿入される。このとき、第１電気回路基板１４と第２電気回路基板１５とは、対向する側部側ガイド２３にそれぞれ案内されながら内部底板２１に向けて挿入されていく。
【００３５】
第１電気回路基板１４と第２電気回路基板１５とが内部底板２１に近づくと、底部側ガイド３９の対向壁部間の溝に挿入されることで位置決めされるとともに、側部側ガイド２３の突条４０によってがたつき無く把持される。
【００３６】
次に、アッパーインナーカバー１６が電気回路基板収容部１９に外嵌するように被せられる。このとき、アッパーインナーカバー１６は、そのカバー側ガイド４１が第１電気回路基板１４の上端部と第２電気回路基板１５の上端部とにそれぞれ外嵌するとともに、３つの係合部３６がスナップアクション的に内部側板２０の３つの係合突起２２に係合する（例えば、これらの係合の際、全てに『カチッ。』という音がする）ことでアッパーインナーカバー１６が電気回路基板収容部１９に対して本嵌合状態となる（換言すれば、３つの係合部３６と３つの係合突起２２が全て係合した係合状態となる）。このように、アッパーインナーカバー１６が電気回路基板収容部１９に組み付けられた状態では、アッパーインナーカバー１６のカバー側ガイド４１における突条４３が、第１電気回路基板１４と第２電気回路基板１５を板厚方向にがたつき無く支持し、アッパーインナーカバー１６の突条４２が、第１電気回路基板１４と第２電気回路基板１５とを下方にがたつき無く支持する。
【００３７】
図７に示すように、例えば、第１電気回路基板１４が側部側ガイド２３に適正に誘導されながら挿入されたのとは異なり、第２電気回路基板１５が片側の側部側ガイド２３から外れて挿入（つまり、誤挿入）されてしまった場合、第２電気回路基板１５は内部底板２１に近づいたところで、底部側ガイド３９の溝には挿入されずに底部側ガイド３９に乗る。そして、このまま、アッパーインナーカバー１６が電気回路基板収容部１９の開口に被せられると、アッパーインナーカバー１６のカバー側ガイド４１も、底部側ガイド３９と同様に第２電気回路基板１５に外嵌せずに第２電気回路基板１５に乗る。従って、アッパーインナーカバー１６の３つの係合部３６が内部側板２０の３つの係合突起２２全てには係合しない（即ち、少なくともいずれかが係合しない）非係合状態が生じるので、アッパーインナーカバー１６が本嵌合状態における電気回路基板収容部１９に対する位置と比較して浮いた位置に配置され、アッパーインナーカバー１６の半嵌合状態が外観上判るようになっている。尚、アッパーインナーカバー１６の３つの係合部３６が内部側板２０の３つの係合突起２２と全く係合しないといった非係合状態では、例えば、『カチッ。』という音が発生しないことは言うまでもない。
【００３８】
この電気接続箱１０では、第１電気回路基板１４と第２電気回路基板１５とが電気回路基板収容部１９の正規位置に挿入されたうえで、アッパーインナーカバー１６が電気回路基板収容部１９に組み付けられてから、アッパーアウターカバー１２の４つの係合部２８が接続箱本体１１の外部側板１７の４つの係合受２４に係合され、そしてロアカバー１３の６つの係合部３１が接続箱本体１１の外部側板１７の６つの係合突起２５に係合される。尚、電気回路基板１４，１５が電気回路基板収容部１９の正規位置に挿入され収容されたとき、雌型コネクタ３３がコネクタ挿入部３７を介して接続箱本体１１の下部から露出されるように配置され、この状態の雌型コネクタ３３に雄型コネクタ３８が接続箱本体１１の下から上に向かって嵌合し、その後、ロアカバー１３が接続箱本体１１の下部に組み付けられる。
【００３９】
電気接続箱１０によれば、第１電気回路基板１４および第２電気回路基板１５が縦に配置されるので、電気回路基板収容部１９の内部スペースを、水平方向を含む横方向に小さくすることができる。それ故、この電気接続箱１０は、横方向に薄型化可能であり、よって、垂直方向を含む縦方向にスペースを確保し易いエンジンルームでの配置に好適である。また、電気接続箱１０によれば、第１電気回路基板１４および第２電気回路基板１５の少なくとも一方が電気回路基板収容部１９に誤挿入された状態では、当該第１電気回路基板１４および第２電気回路基板１５の少なくとも一方の上端部にカバー側ガイド４１の下端部が当接し、これによりアッパーインナーカバー１６の電気回路基板収容部１９に対する非係合状態が生じるので、第１電気回路基板１４および第２電気回路基板１５の誤挿入を外観および係合音から容易且つ確実に判定できる。更に、電気接続箱１０によれば、アッパーアウターカバー１２が接続箱本体１１の上部全体を覆うように接続箱本体１１に取り付けられるので、防水だけでなく塵や埃等の進入をも防ぐことができる。尚、電気接続箱１０を用いた場合、第１電気回路基板１４および第２電気回路基板１５に塵や埃等が付着することを避けるため、クリーンルームで、第１電気回路基板１４および第２電気回路基板１５が挿入された電気回路基板収容部１９へのアッパーインナーカバー１６の取り付けを行なった後に、通常工程でアッパーアウターカバー１２を接続箱本体１１に取り付けることができる。また、電気接続箱１０によれば、接続箱本体１１の下部に組み付けられるロアカバー１３を更に備えるので、更なる防水、防塵、等に効果的な構造のものとなる。
【００４０】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００４１】
例えば、上述した底部側ガイド３９を図８〜図１０（ｂ）に示されるように変形してもよい。図８は底部側ガイドの変形例を備えた電気回路基板収容部に電気回路基板を正しく組み込んだ適正挿入状態での平面図、図９は図８のＩＸ−ＩＸ線断面図、図１０（ａ）は図９の鎖線円Ｘ（ａ）内の部分を拡大して示す断面図、そして図１０（ｂ）は鎖線円Ｘ（ａ）内の底部側ガイドに相当する図８の底部側ガイドについてのみ拡大して示す平面図である。
【００４２】
尚、図８〜図１０（ｂ）における底部側ガイドの変形例を除いた他の構成要素については、既に図１〜図７を参照して説明した実施形態の構成要素と同一であるため、同一符号を付し、それらの説明は簡略化或いは省略する。従って、例えば図９を、底部側ガイドの変形例を除いて、図１〜図７に示される実施形態の別の描写として参照することができる。
【００４３】
図８および図９に示されるように、底部側ガイド３９Ａ各々の本体は、既に説明した底部側ガイド３９と同様に、内部底板２１から上方に延長したコ字形状に形成されている。底部側ガイド３９Ａは、それらの溝に第１電気回路基板１４と第２電気回路基板１５とが挿入されてきた際に、第１電気回路基板１４と第２電気回路基板１５とを位置決めする機能をもつ。これら底部側ガイド３９Ａのコ字形状の本体の位置は、それぞれ、図６および図７の底部側ガイド３９の位置と同じである。
【００４４】
各底部側ガイド３９Ａは、その本体と内部底板２１と更に配置箇所によっては内部側板２０に一体的に形成された側面視略三角形を有する補強リブ３９Ａａを本体の両側に合計で少なくとも２つ備えている。底部側ガイド３９Ａに補強リブ３９Ａａが設けられることによって、底部側ガイド３９Ａへの第１電気回路基板１４或いは第２電気回路基板１５の挿入時または当接時に底部側ガイド３９Ａの本体の不所望な過度の変形を防止することができる。尚、図１０（ｂ）に例示されるように、配置箇所によっては、側面視略三角形ではない補強リブ３９Ａａ’を設けてもよい。
【００４５】
各底部側ガイド３９Ａの対向する内側面には、少なくとも二対｛図１０（ａ），（ｂ）の底部側ガイド３９Ａでは三対｝の断面視略三角形状の突条３９Ａｂが、第１電気回路基板１４と第２電気回路基板１５の挿入方向に平行にしてそれぞれ突出形成されている。突条３９Ａｂは、底部側ガイド３９Ａそれぞれの溝内に第１電気回路基板１４と第２電気回路基板１５が挿入された際に、第１電気回路基板１４と第２電気回路基板１５に板厚のばらつきがあったとしても、そのばらつきを吸収して、がたつき無く第１電気回路基板１４と第２電気回路基板１５を支持することができる。特に、底部側ガイド３９Ａは、第１電気回路基板１４と第２電気回路基板１５の横幅方向中央部を支持するようにそれぞれ配置されているので、第１電気回路基板１４と第２電気回路基板１５の振動の吸収に優れた効果を奏する。
【００４６】
尚、図９では、第１電気回路基板１４と第２電気回路基板１５に、コネクタ端子３３ａがハンダ付け等により電気的に接続され且つネジ３３ｂにより固定された雌型コネクタ３３が示される。また、第１電気回路基板１４或いは第２電気回路基板１５に搭載される雌型コネクタ３３は、雄型コネクタに変更してもよく、この場合、嵌合相手となる相手方コネクタが雌型コネクタになることは言うまでもない。また、第１電気回路基板１４或いは第２電気回路基板１５に搭載されるコネクタは一つでもよい。更に、第１電気回路基板１４と第２電気回路基板１５のいずれか一方が設けられていれば、本発明を実施できる。また、底部側ガイド３９Ａに補強リブ３９Ａａ或いは補強リブ３９Ａａ’を設けなくてもよい。また、突条３９Ａｂを有する底部側ガイドを採用する場合、側部側ガイド２３に突条４０を設けなくてもよい。また、カバー側ガイド４１や突条４２をアッパーインナーカバー１６に設けなくてもよいが、設けた方が上述した理由でなお良いことは言うまでもない。
【図面の簡単な説明】
【００４７】
【図１】本発明に係る電気接続箱の一実施形態を斜め上から視た各部品の分解斜視図である。
【図２】電気回路基板を接続箱本体に組み込んだ状態の平面図である。
【図３】（ａ）は図１の電気接続箱における電気回路基板収容部の側部側ガイド辺りの平面図、そして（ｂ）は（ａ）の側面図（一部断面図）である。
【図４】（ａ）は図１の電気接続箱に用いられるアッパーインナーカバーの下面図、そして（ｂ）は（ａ）のＩＶ（ｂ）−ＩＶ（ｂ）線断面図である。
【図５】（ａ）は図４（ａ）のアッパーインナーカバーにおけるカバー側ガイド辺りの平面図、そして（ｂ）は（ａ）のＶ（ｂ）−Ｖ（ｂ）線断面図である。
【図６】電気回路基板を電気回路基板収容部に正しく組み込んだ適正挿入状態での平面図である。
【図７】電気回路基板を電気回路基板収容部に正しく組み込んでいない誤挿入状態での平面図である。
【図８】底部側ガイドの変形例を備えた電気回路基板収容部に電気回路基板を正しく組み込んだ適正挿入状態での平面図である。
【図９】図８のＩＸ−ＩＸ線断面図である。
【図１０】（ａ）は図９の鎖線円Ｘ（ａ）内の部分を拡大して示す断面図、そして（ｂ）は鎖線円Ｘ（ａ）内の底部側ガイドに相当する図８の底部側ガイドについてのみ拡大して示す平面図である。
【図１１】従来の電気接続箱の概略図である。
【符号の説明】
【００４８】
１０：電気接続箱
１１：接続箱本体
１２：アッパーアウターカバー
１３：ロアカバー
１４：第１電気回路基板（電気回路基板）
１５：第２電気回路基板（電気回路基板）
１６：アッパーインナーカバー
１９：電気回路基板収容部
２３：側部側ガイド
３３：雌型コネクタ（コネクタ）
３４：電気部品
３７：コネクタ挿入部
３９：底部側ガイド
４０：突条（突起）
４１：カバー側ガイド
４２：突条（突起）
４３：突条（突起）
【図１】
2007282470.tif 000003
【図２】
2007282470.tif 000004
【図３】
2007282470.tif 000005
【図４】
2007282470.tif 000006
【図５】
2007282470.tif 000007
【図６】
2007282470.tif 000008
【図７】
2007282470.tif 000009
【図８】
2007282470.tif 000010
【図９】
2007282470.tif 000011
【図１０】
2007282470.tif 000012
【図１１】
2007282470.tif 000013